(57)【要約】【課題】従来の電気掃除機において、収納時に、ハンドル体を持ち狙いを定めて延長管を本体の係止部に挿入する動作を必要とし、また延長管と本体が強固に締結していないために運搬時に使用者はかがんで本体を持つ必要があり、運搬中に、延長管が係止部から外れてしまうという課題を有していた。【解決手段】電気掃除機の収納時あるいは電気掃除機の運転中断時に、本体２１と延長管２６とを締結する可動式の締結部３０を設ける構成として、可動式の締結部３０が延長管２６を捕らえて締結することにより、本体２１と延長管２６とを強固に締結させることが可能な電気掃除機を提供できるようにした。【選択図】図１
2005087456.tif 000002
【特許請求の範囲】
【請求項１】
電気掃除機の本体と、その一端を前記本体に接続され他端を延長管に接続される可撓性ホースと、前記延長管の一端に接続される床用吸込具とを有し、電気掃除機の収納時あるいは電気掃除機の運転中断時に、前記本体と前記延長管とを締結する可動式の締結部を、少なくとも前記本体または前記延長管のいずれかに設けた電気掃除機。
【請求項２】
締結部に駆動装置を内蔵し、前記駆動装置の動作によって本体と延長管とを締結、分離する構成とした請求項１記載の電気掃除機。
【請求項３】
延長管が本体に接触または接近したことを検知する検知手段を有し、前記検知手段からの検知信号を受けて締結部の駆動装置が動作する構成とした請求項１または２に記載の電気掃除機。
【請求項４】
締結部が、電気掃除機の収納時あるいは電気掃除機の運転中断時に突出し、電気掃除機の運転時に収納される構成とした請求項１〜３のいずれか１項に記載の電気掃除機。
【請求項５】
延長管が本体に接触または接近したことを検知する検知手段を有し、前記検知手段からの検知信号により、前記延長管が前記本体に接触または接近したことを検知した際に締結部が突出し、前記延長管が前記本体と分離したことを検知した際に締結部が収納される構成とした請求項１〜３のいずれか１項に記載の電気掃除機。
【請求項６】
本体と延長管とが締結している状態で、操作スイッチをオンすると、締結が解除される構成とした請求項１〜５のいずれか１項に記載の電気掃除機。
【請求項７】
伸縮式の支柱を有する締結部を本体に備え、延長管が前記本体に接近すると、前記締結部の支柱が突出して、前記本体が収納状態へと姿勢を変化させる構成とした請求項３または５に記載の電気掃除機。
【請求項８】
締結部を複数個有し、少なくとも電気掃除機の収納時と電気掃除機の運転中断時とで、異なる締結部を用いる構成とした請求項１〜７のいずれか１項に記載の電気掃除機。
【発明の詳細な説明】
【技術分野】
【０００１】
本発明は、一般家庭等で使用される電気掃除機に関するものである。
【背景技術】
【０００２】
従来、この種の電気掃除機は収納時または運搬時に掃除機本体を立て、本体底面近傍に設けた係止穴部に、延長管に設けた突部を嵌合している。運搬時にはこの状態で本体に設けた持ち手やホースを持って運ぶことになる（例えば、特許文献１参照）。
【０００３】
図６は前記特許文献１に記載された従来の電気掃除機を示すものである。図６に示すように、掃除機本体１と、可撓性ホース２と、延長管３と、ハンドル体４と、掃除機本体１に設けた係止穴部５と、延長管３に設けたから突部６から構成されている。
【特許文献１】特開２０００−１２６０９３号公報
【発明の開示】
【発明が解決しようとする課題】
【０００４】
しかしながら、前記従来の構成では、ハンドル体４を持ち、狙いを定めて突部６を係止穴部５に挿入する動作を必要とし、また延長管３と掃除機本体１が強固に締結していないために運搬時に使用者はかがんで掃除機本体１を持つ必要がある。さらに運搬中や収納形態（清掃の一時中断時も含む）にしたときに、延長管３や可撓性ホース２にぶつかり突部６が係止穴部５から外れて延長管３等が倒れてしまうという課題を有していた。
【０００５】
本発明は、前記従来の課題を解決するもので、容易に本体と延長管を締結して掃除機を収納でき、かつ運搬のし易さを向上した電気掃除機を提供することを目的とする。
【課題を解決するための手段】
【０００６】
前記従来の課題を解決するために、本発明の電気掃除機は、電気掃除機の本体と、その一端を前記本体に接続され他端を延長管に接続される可撓性ホースと、前記延長管の一端に接続される床用吸込具とを有し、電気掃除機の収納時あるいは電気掃除機の運転中断時に、前記本体と前記延長管とを締結する可動式の締結部を、少なくとも前記本体または前記延長管のいずれかに設けたものである。
【０００７】
これによって、可動式の締結部が本体または延長管を捕らえて締結し、かつ本体と延長管を強固に締結させることができる。
【発明の効果】
【０００８】
本発明の電気掃除機は、容易に本体と延長管を締結して掃除機を収納でき、かつ運搬のし易さを向上させることができる。
【発明を実施するための最良の形態】
【０００９】
第１の発明は、電気掃除機の本体と、その一端を前記本体に接続され他端を延長管に接続される可撓性ホースと、前記延長管の一端に接続される床用吸込具とを有し、電気掃除機の収納時あるいは電気掃除機の運転中断時に、前記本体と前記延長管とを締結する可動式の締結部を、少なくとも前記本体または前記延長管のいずれかに設けたことにより、可動式の締結部が本体または延長管を捕らえて締結し、かつ本体と延長管を強固に締結させて、容易に本体と延長管を締結して掃除機を収納でき、かつ運搬のし易さを向上させることができる。
【００１０】
第２の発明は、特に、第１の発明の締結部に、駆動装置を内蔵し、前記駆動装置の動作によって本体と延長管とを締結、分離する構成とすることにより、締結、分離時に使用者は、締結、分離のための操作力をほとんど加えることなく締結、分離を行うことができ、また強固に締結を維持することができる。
【００１１】
第３の発明は、特に、第１または第２の発明に加えて、延長管が本体に接触または接近したことを検知する検知手段を有し、前記検知手段からの検知信号を受けて締結部の駆動装置が動作する構成とすることにより、締結時に使用者は締結のための操作力をほとんど加えることなく、かつ素早く確実に締結を行うことができる。
【００１２】
第４の発明は、特に、第１〜第３のいずれか１つの発明の締結部が、電気掃除機の収納時あるいは電気掃除機の運転中断時に突出し、電気掃除機の運転時に収納される構成とすることにより、素早く締結を行うことができ、かつ使用状態の障害となくことなく締結部を大きく強固なものとすることができる。
【００１３】
第５の発明は、特に、第１〜第３のいずれか１つの発明に加えて、延長管が本体に接触または接近したことを検知する検知手段を有し、前記検知手段からの検知信号により、前記延長管が前記本体に接触または接近したことを検知した際に締結部が突出し、前記延長管が前記本体と分離したことを検知した際に締結部が収納される構成とすることにより、素早く締結を行うことができ、かつ使用状態の障害となくことなく締結部を大きく強固なものとすることができる。
【００１４】
第６の発明は、特に、第１〜第５のいずれか１つの発明の本体と延長管とが締結している状態で、操作スイッチをオンすると、締結が解除される構成とすることにより、使用者は分離動作を意識することなく、収納状態等から使用状態へと連続的に素早く動作を行うことができる。
【００１５】
第７の発明は、特に、第３または第５の発明に加えて、伸縮式の支柱を有する締結部を本体に備え、延長管が前記本体に接近すると、前記締結部の支柱が突出して、前記本体が収納状態へと姿勢を変化させる構成とすることにより、使用者が本体を収納状態へと変化させる必要が無く、かつ締結部がその動作も行うので、別途本体の姿勢を変化させる構成が不要で、素早く快適に延長管を締結できるコンパクトな掃除機とすることができる。
【００１６】
第８の発明は、特に、第１〜第７のいずれか１つの発明の締結部を、複数個有し、少なくとも電気掃除機の収納時と電気掃除機の運転中断時とで、異なる締結部を用いる構成とすることにより、清掃運転の一時中断時にも素早く延長管と本体とを締結でき、また素早くこれらを分離させて清掃を続行することができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における電気掃除機の収納状態を示す側断面図である。
【００１９】
図１において、掃除機本体２１（以下単に本体２１という）には、電動送風機２２と集塵室２３を内蔵している。また床ノズル（床用吸込み具）２４には回転ブラシ２５を内蔵し、回動自在に延長管２６へと接続されている。この延長管２６と本体２１とは可撓性ホース２７によって接続されている。さらに延長管２６の一端にはハンドル体２８を設けており、このハンドル体２８近傍に運転スイッチ２９を配している。ここで本体２１の使用時底面より締結部３０が突出しており、この締結部３０の動作と締結維持は本体２１に内蔵するアクチュエータ（駆動装置）によって行われる。この締結部３０は延長管２６途中に設けたへこみ段付き部３２と締結している。また締結ぶ３０と近接してマイクロスイッチに樹脂製のカバー体を連結した接触式の検知スイッチ（検知手段）３３を配している。
【００２０】
さらに締結部３０について詳しく述べると、本体２１からスライドして突出する基部４１に、可動式の保持アーム４２を設けてあり、その保持アーム４２には締結力を向上し、また滑り止めも兼ねた補助アーム４３を有する。
【００２１】
以上のように構成された電気掃除機について、以下その動作、作用を説明する。
【００２２】
まず清掃が終了（一時中断含む）して本体２１を立てる（図１の本体２１の姿勢および図２（ａ）の状態）。この状態では保持アーム４２および補助アーム４３は折り畳まれて基部４１と共に本体２１に収容されている。ここでハンドル体２８を持ち、延長管２６を接続部３０へ近付けると（矢印Ａ）、延長管２６が検知スイッチ３３を押すことになる。そこで検知スイッチ３３からの信号を受けて、本体２１内の回路（図示せず）がアクチュエータ３１を動作させ、基部４１を本体２１内から突出させる。それに続いて保持アーム４２が展開し延長管２６の段付き部３２を挟み込む。さらに補助アーム４３が保持アーム４２の内側から段付き部３２に沿うように広がり、延長管２６と締結部３０を強固に締結させる。この状態でハンドル体２８を持って運搬し、収納することができる。
【００２３】
再び清掃を行うときは、ハンドル体２８を持ち、吸引のための運転スイッチ２９を押すだけで、回路からアクチュエータ３１へ信号が送られ、保持アーム４２および補助アーム４３が自動的に折り畳まれて基部４１と共に本体２１に収容され、ただちに清掃作業を行うことができる。
【００２４】
以上のように、本実施の形態においては本体２１と延長管２６とを強固に締結する可動式の締結部３０を本体２１に設けたことにより、可動式の締結部３０が延長管２６を捕らえて締結し、かつ本体２１と延長管２６を強固に締結させて、容易に本体２１と延長管２６を締結して掃除機を収納でき、かつ運搬のし易さを向上させることができる。
【００２５】
また、本実施の形態では締結部３０にアクチュエータ３１を内蔵し、そのアクチュエータ３１の動作によって本体２１と延長管２６を締結および分離する構成とすることにより、締結および分離時に使用者は締結および分離のための操作力をほとんど加えることなく締結および分離を行うことができ、かつ強固に締結を維持することができる。
【００２６】
また、本実施の形態では延長管２６が本体２１に接触したことを検知する検知スイッチ２９を有し、その検知スイッチ２９からの検知信号を受けて締結部３０のアクチュエータ３１が動作する構成とすることにより、締結時に使用者は締結のための操作力をほとんど加えることなく、かつ素早く確実に締結を行うことができる。
【００２７】
また、本実施の形態では本体２１と延長管２６とが締結している状態で、運転スイッチ２９を入れると、その動作と連動して締結が解除され本体２１と延長管２６とが分離する構成とすることにより、使用者は分離動作を意識することなく、収納状態から使用状態へと連続的に素早く動作を行うことができる。
【００２８】
なお接触式検知スイッチ３３の代わりに磁気センサーのような非接触接触検知スイッチを使用することで、締結時に使用者は締結のための操作力を全く加えることなく、かつ素早く確実に締結を行うことができる。
【００２９】
なお締結部が延長管２６側もしくは床ノズル２４側に搭載されていても同様の効果を得られるものである。
【００３０】
尚、本実施の形態において、本体の運転スイッチをオンすることにより、本体と延長管との締結が解除される例を示したが、必ずしも本体の運転スイッチである必要はなく、本体の運転スイッチの代わりに、本体と延長管との締結解除専用の操作スイッチを設け、これをオンするようにしても支障がないものである。
【００３１】
（実施の形態２）
図３（ａ）は、本発明の第２の実施の形態の電気掃除機における本体使用時の状態を示す構成図であり、図３（ｂ）は収納時の状態を示す構成図である。
【００３２】
なお締結部３０以外の構成は第１の実施の形態と同様であるので、その詳細な説明を省略するものである。
【００３３】
本実施の形態の締結部３０は、本体２１が収納状態となると同時に締結部３０の基部４１が突出し、また本体２１が使用状態になると同時に締結部３０の基部４１が収納される構成とすることにより、素早く締結を行うことができ、かつ使用状態の障害となくことなく締結部３０を大きく強固なものとすることができる。
【００３４】
尚、本実施の形態において、基部４１を備える構成としたが、基部４１がなく、直接、締結部を突出、収納させても支障がないものである。
【００３５】
（実施の形態３）
図４（ａ）は、本発明の第３の実施の形態の電気掃除機における本体使用時の状態を示す構成図であり、図４（ｂ）は収納時の状態を示す構成図である。
【００３６】
なお締結部３０以外の構成は第１の実施の形態と同様であるので、その詳細な説明を省略するものである。
【００３７】
本実施の形態の延長管２６が本体２１に接近すると、その本体２１から締結部３０の基部４１が突出し、さらにこの基部４１に連結した伸縮式の支柱５１が伸び、本体５４が収納状態へと姿勢を変化させる構成とすることにより、使用者が本体２１を収納状態へと変化させる必要が無く、かつ締結部３０の基部４１および支柱部５１がその動作も行うので、別途本体２１の姿勢を変化させる構成が必要ない、素早く快適に延長管２６を締結できるコンパクトな掃除機とすることができる。
【００３８】
（実施の形態４）
図５（ａ）は、本発明の第４の実施の形態の電気掃除機における収納時の状態を示す構成図であり、図５（ｂ）は本体使用時の状態を示す構成図である。
【００３９】
なお締結部３０以外の構成は第１の実施の形態と同様であるので、その詳細な説明を省略するものである。
【００４０】
本実施の形態の締結部３０はこの収納時用のほかに、使用時用の予備締結部６１を有し、収納時および使用時のそれぞれにおいて延長管２６と本体２１とを強固に締結する構成とすることにより、清掃の一時中断時にも素早く延長管２６と本体２１とを締結でき、また素早くこれらを分離させて清掃を続行することができる。
【産業上の利用可能性】
【００４１】
以上のように、本発明にかかる電気掃除機は、容易に本体と延長管を締結して掃除機を収納でき、かつ運搬のし易さを向上させることができるので、一般家庭等で使用される電気掃除機等として有用である。
【図面の簡単な説明】
【００４２】
【図１】本発明の実施の形態１における電気掃除機の収納状態を示す側断面図
【図２】（ａ）本発明の実施の形態１における締結部の本体使用時の状態を示す構成図（ｂ）同、締結部の収納時の状態を示す構成図
【図３】（ａ）本発明の実施の形態２における本体使用時の状態を示す構成図（ｂ）同、収納時の状態を示す構成図
【図４】（ａ）本発明の実施の形態３における本体使用時の状態を示す構成図（ｂ）同、収納時の状態を示す構成図
【図５】（ａ）本発明の実施の形態４における収納時の状態を示す構成図（ｂ）同、本体使用時の状態を示す構成図
【図６】従来の電気掃除機の収納状態を示す一部欠載側断面図
【符号の説明】
【００４３】
２１  本体
２４  床ノズル（床用吸込具）
２６  延長管
２７  可撓性ホース
３０  締結部
３１  アクチュエータ（駆動装置）
３３  検知スイッチ（検知手段）
４１  基部
【図１】
2005087456.tif 000003
【図２】
2005087456.tif 000004
【図３】
2005087456.tif 000005
【図４】
2005087456.tif 000006
【図５】
2005087456.tif 000007
【図６】
2005087456.tif 000008